(57)【要約】【課題】真壁へ手すりを設置する際に、手すり補強板の切断長さや、切断面の加工精度を気にすること無く、安全で且つ意匠性が優れた、手すり補強板の構造を提供することを目的とする。【解決手段】真壁に手すりを取り付ける際に使用する補強板を、露出している柱間と壁面に密接した状態で、ねじで取り付ける場合において、前記補強板の端面に、前記端面よりも小さな大きさのスペーサを貼り付け、前記スペーサによって生じた前記柱との隙間を利用して、前記端面を覆い隠すカバーを装着する構造とした。これにより、ねじのねじ込み力で補強板の端面全てが柱に密着することを防ぎ、スペーサによって生じた隙間を利用し、補強板の端面をカバーで確実に隠すことが可能となる。【選択図】  図１
2004293054.tif 000002
【特許請求の範囲】
【請求項１】
真壁に手すりを取り付ける際に、予め露出している柱間と壁面に密接した状態で補強板の端部から柱に斜め方向にねじ止めして使用する補強板であって、前記補強板の端面に、前記端面の大きさより小さなスペーサを貼り付け、前記スペーサによって生じた前記柱との隙間を利用して、前記端面を覆い隠すカバーを装着することを特徴とする手すり補強板の構造。
【請求項２】
請求項１の手すり補強板の構造において、前記スペーサにねじを逃す為の切欠きを設けたことを特徴とする手すり補強板の構造。
【請求項３】
請求項１または請求項２の手すり補強板の構造において、前記手すり補強板の端面と共に、表面に出ているねじの頭を、前記カバーで隠す構造としたことを特徴とする手すり補強板の構造。
【発明の詳細な説明】
【０００１】
【発明の属する技術分野】
本発明は、真壁に手すりを取り付ける際に使用する手すり補強板の構造に関するものである。
【０００２】
【従来の技術】
従来、真壁に手すりを設置する場合、壁面自体に強度が無く、直接手すりを設置することが出来無い為、露出している複数の柱の正面に補強板を渡して補強板を固定し、その補強板に手すりを固定する構造としていた。
また、別の方法としては、壁面と露出している柱間の壁面と隣接している面に補強板を固定し、その補強板に手すりを固定する構造としていた。
【０００３】
図４は、従来の真壁へ手すりを設置する構造を示した斜視図である。図４において、１００は手すりを、１０１は手すり補強板を、１０２は真壁の壁面を、１０３は真壁の柱を示す。１０４は柱１０３の見え掛りを、１０５は柱１０３の散りを示す。Ｐは壁面１０２と柱１０３の見え掛り１０４の散りの段差を示す。手すり補強板１０１は、施工現場において隣り合う柱１０３の散り１０５の間隔Ｘよりも大きい長さＹに切断される。その後、手すり補強板１０１の表面より、柱１０３に向かって垂直方向に下穴５を開けた後、木ねじ２により柱１０３の見え掛り１０４に固定される。木ねじ２の頭は露出している為、化粧シール３を貼ることで、木ねじ２の頭や下穴５の切削端面での怪我防止や、意匠性を向上させている。また、手すり補強板１０１の端面４は切断面となる為、両端面４に化粧カバー１を取り付けることで、端面４での怪我防止や、外観を向上させている。その後、図示しない木ねじ等で手すり補強板１０１に、手すり１００を取り付ける。
【０００４】
図５は、もう一例の従来の真壁へ手すりを設置する構造を示した斜視図である。図５において、１００は手すりを、１０１Ａは手すり補強板を、１０２は真壁の壁面を、１０３は真壁の柱を、１０５は柱１０３の散りを、１０６は壁面１０２の裏側に設置されている間柱を示す。Ｐは壁面１０２と柱１０３の見え掛り１０３の散りの寸法を示す。手すり補強板１０１Ａは、手すり１００を固定するのに十分な強度を持った厚さＱを有しており、施工現場において隣り合う柱１０３の散り１０５の間隔Ｘと同じ又は若干短めの長さＹｂに切断される。手すり補強板１０１Ａは、壁面１０２と散り１０３に接触した形で設置され、手すり補強板１０１Ａの両端に表面より、柱１０３に向かって斜め方向に下穴５Ａを、手すり補強板１０１Ａの中央には間柱１０６に向かって垂直方向に下穴６Ａを開ける。その後、木ねじ２により柱１０３及び間柱１０６に固定される。木ねじ２の頭は露出している為、両端の木ねじ２の頭には化粧シール３Ａを、中央の木ねじ２の頭にも化粧シール３を貼ることで、木ねじ２の頭や下穴５の切削端面での怪我防止や、意匠性を向上させている。下穴５Ａは、手すり補強板１０１Ａの表面に対して斜めに開けているため、手すり補強板の表面に現れる穴９Ａは、手すり補強板１０１Ａの長手方向を長半径とする略楕円形状となり、下穴６Ａに比べ大きくなるので、化粧シール３Ａは、化粧シール３よりも必然的に大きなものが必要となる。その後、図示しない木ねじ等で手すり補強板１０１に、手すり１００を取り付ける。
【０００５】
【発明が解決しようとする課題】
図４に示した手すり補強板の構造では、柱１０３の見え掛り１０４に手すり補強板１０１を取り付ける為、手すり補強板１０１の長さＹを柱１０３の間隔Ｘよりも大きく切断すれば良いので、長さＹの寸法精度が要求されること無く、容易な施工が行なえる。また、手すり補強板の切断面４を化粧カバー１で隠すことが出来る為、端面４の切断面が荒れたり斜めになっても、端面４での怪我の防止対策や、優れた意匠性を容易に提供することが出来る。しかしながら、手すり１００を手すり補強板１０１に強固に固定しても、手すり補強板１０１は柱１０３に固定されているだけで、手すり補強板１０１の中央部分と壁面１０２の間には、段差Ｐ分の隙間が生じており、使用者が手すり１００に荷重を加えることで、手すり補強板１０１にも荷重が働き、手すり補強板１０１は段差Ｐ分の隙間分撓むこととなるので、結果として使用者が不安を感じることがあった。
【０００６】
図５の構造では、手すり補強板１０１Ａは、壁面１０２と散り１０３に接触した形で設置されており、また間柱１０６にも固定されている為、図４の構造の様に使用者が、手すり１００に荷重を加わえることで、手すり補強板１０１Ａに荷重が加わっても、手すり補強板１０１Ａが撓むことは無く、強固に手すり１００を固定することが出来る。しかし、手すり補強板１０１Ａは、施工現場において柱１０３の間隔Ｘと同じ又は若干短めの寸法Ｙａに高精度で切断する必要があり、現場で施工作業者が寸法Ｙａにに切断加工することは非常に困難であった。また、寸法Ｙａを間隔Ｘよりも若干短めに切断出来たとしても、木ねじ２を斜めにねじ込む為、木ねじ２による力Ｆは分力Ｆｘと分力Ｆｙに分解され、分力Ｆｘにより手すり補強板１０１Ａの端面４が片方の柱１０３の散り１０５に押し付けられ、結果としてもう一方の端面には隙間が開き、意匠性を悪化させることがあった。また、手すり補強板１０１Ａの寸法Ｙａが間隔Ｘよりも極端に短く切断したり、端面４を斜めに切断してしまった場合には、散り１０５と端面４の間に隙間があき、意匠性が悪化することがあった。また、段差Ｐよりも手すり補強板の厚さＱが大きい場合は、端面４の切断面が見え掛り１０４から見えるため、意匠性が悪化するばかりか、手すり１００を使用する際に、誤って端面４で手などに怪我をする恐れがあった。また、下穴５Ａを誤って大きく開けてしまった場合は、化粧シール３Ａで隠すことが出来なかったり、辛うじて隠せたとしても、化粧シール３Ａと手すり補強板の表面との接触面積が小さくなり、化粧シール３Ａと手すり補強板の表面との粘着力が弱く、直ぐに化粧シール３Ａが剥がれてしまい、意匠性を悪化させるばかりか、使用者が下穴５Ａの切削端面で怪我をする恐れもあった。
【０００７】
そこで本発明は上記の問題点を解決する為に、真壁へ手すりを設置する際に使用する際に、手すり補強板の切断長さや、切断面の加工精度を気にすること無く、安全で且つ意匠性が優れた、手すり補強板の構造を提供することを目的とする。
【０００８】
【課題を解決するための手段】
【０００９】
本発明の請求項１では、真壁に手すりを取り付ける際に使用する補強板を、露出している柱間と壁面に密接した状態でねじで取り付ける場合において、前記補強板の端面に、前記端面よりも小さな大きさのスペーサを貼り付け、前記スペーサによって生じた前記柱との隙間を利用して、前記端面を覆い隠すカバーを装着する構造とした。これにより、ねじのねじ込み力で補強板の端面全てが柱に密着することを防ぎ、スペーサによって生じた隙間を利用し、補強板の端面をカバーで確実に隠すことが可能となる。
本発明の請求項２では、請求項１の手すり補強板の構造において、前記スペーサにねじを逃す為の切欠きを設けた構造とした。これにより、補強板の端面にねじが露出するような角度でねじをねじ込まれた場合でも、スペーサに設けた切欠きにより露出したねじを逃すことで、スペーサを確実に固定することが可能となる。
本発明の請求項３では、請求項１または請求項２の手すり補強板の構造において、前記手すり補強板の端面と共に、前記手すり補強板の表面に出ているねじの頭を、前記カバーで隠す構造としたことを特徴とした。これにより、補強板の表面にねじの頭やねじの下穴が見える場合であっても、カバーを装着することにより、補強板の端面のみならず固定しているねじの頭や下穴も隠すことが可能となる。
【発明の実施の形態】
以下に図面を参照して本発明をより具体的に説明する。なお、従来技術と同じ構造については同じ符号を付している。
【００１０】
図１は、本発明の一実施形態を示す真壁へ手すりを設置する構造を示した断面図である。図１において、１０１Ｂは手すり補強板を、１０２は真壁の壁面を、１０３は真壁の柱を、１０４は柱１０３の見え掛りを、１０５は柱１０３の散りを示す。Ｐは壁面１０２と柱の見え掛り１０４の散りの段差を示す。手すり補強板１０１Ｂは、図示しない手すりを固定するのに十分な強度を持った厚みＱを有しており、隣り合う柱１０３の散り１０５の間隔Ｘと、後に説明するスペーサ７の厚さＡの２倍の厚さを合わせた長さよりも、短い寸法Ｙａに切断される。４Ｂ及び４Ｂ’は手すり補強板１０１Ｂの端面を示す。一方の端面４Ｂ側には、厚さＡで端面４Ｂの外形寸法よりも小さな寸法で、且つ奥行きＲは、断差Ｐよりも小さい寸法を有するスペーサ７を貼り付け、もう一方の端面４Ｂ’側には何も付けない状態となっている。手すり補強板１０１Ｂは、壁面１０２と柱１０３の散り１０５に密接した状態で設置され、端面４Ｂ側には、散り１０５との間にスペーサ７の厚さＡ分の隙間が開いた状態で、また端面４Ｂ’側には散り１０５’との間に柱１０３の間隔Ｘから、手すり補強板１０１Ｂの寸法Ｙａとスペーサ７の厚さＡを引いた寸法である隙間Ｃが存在した状態で設置される。その後、手すり補強板１０１Ｂの両端には手すり補強板１０１Ｂの表面より、柱１０３に向かって斜め方向にθａの角度で下穴５Ｂを開ける。端面４Ｂ側に開けられた下穴５Ｂに木ねじ２をθａの角度でねじ込むことにより、手すり補強板１０１Ｂを柱１０３に固定する。この時、木ねじ２によるねじ込み力Ｆは、角度θａにより分力Ｆｘと分力Ｆｙに分解され、分力Ｆｘは手すり補強板１０１Ｂを散り１０５に押し付ける力となり、分力Ｆｙは手すり補強板１０１Ｂを壁面１０２に押し付ける力となる。スペーサ７が無い状態であると、手すり補強板１０１Ｂを木ねじ２で固定した際に、手すり補強板１０１Ｂの端面４Ｂと散り１０５が隙間無く密接した状態となるが、スペーサ７を端面４Ｂに貼り付けることで、スペーサ７の厚さＡ分の隙間が生じる。次に、端面４Ｂ’側に開けられた下穴５Ｂにも木ねじ２をねじ込み、柱１０３に固定する。手すり補強板１０１Ｂの端面の４Ｂ及び４Ｂ’には、スペーサ７の厚さＡよりも薄い厚さＢで、且つ厚さＱから断差Ｐを引いた寸法Ｓより大きな奥行きを有するカバー１Ｂを取り付ける。前述の如く、カバー１Ｂの厚さＢは、スペーサ６の厚さＡや、端面４Ｂ’側には散り１０５’との間に生じている隙間Ｃよりも小さい為、手すり補強板１０１Ｂを設置後にも十分取り付けることが可能である。これにより、図５と同様の真壁へ強固に手すりを設置できる手すり補強板１０１Ｂの取り付け構造で、断差Ｐの寸法が、手すり補強板１０１Ｂの厚さＱよりも小さい場合や、手すり補強板１０１Ｂの長さＹａを所定の長さより短く切断したり、端面４Ｂや４Ｂ’を斜めに切断してしまった場合であっても、カバー１Ｂを取り付けることにより、手すり補強板１０１Ｂと散り１０５、及び散り１０５’との隙間を隠すことが可能となり、端面４Ｂや４Ｂ’の切断面で使用者が怪我をすること無く、また同時に意匠性を向上させることが可能となる。
【００１１】
図２は、本発明の別の実施形態を示す真壁へ手すりを設置する構造を示した斜視図である。図２において、１０１Ｂは手すり補強板を、４Ｃは手すり補強板１０１Ｂの端面を示し、１０３は真壁の柱を示す。図２では本構造の片側のみしか図示していないが、手すり補強板１０１Ｂの両端には、手すり補強板１０１Ｂを木ねじ２により柱１０３に固定する為に、手すり補強板１０１Ｂの表面より柱１０３に向かって斜め方向に下穴５Ｃを開ける。この時、図１の場合よりも、下穴５Ｃの位置が端面４Ｃに近い場合や、下穴５Ｃの角度がθａよりも小さな角度θｂの場合は、端面４Ｃにも下穴５Ｄが開いてしまう。このまま図１と同じスペーサ６を端面４Ｃに貼り付け、木ねじ２を下穴５Ｃにねじ込んでしまっては、木ねじ２とスペーサ７が接触してしまい、スペーサ７が手すり補強板１０１Ｂの表面に向かって押出されることとなるので、カバー１Ｂとスペーサ７が干渉してしまい、カバー１Ｂを取り付けることが出来なくなる。そこで、スペーサ７の代わりに、下穴５Ｄを避ける形で切欠き８を設けたスペーサ７Ｂを端面４Ｃに貼り付けることにより、木ねじ２との接触を避けることが出来、手すり補強板１０１Ｂを柱１０３に固定後に、カバー１Ｂを取り付けることが出来、端面４Ｃの切断面で使用者が怪我をすること無く、また同時に意匠性を向上させることが可能となる。
【００１２】
図３は、本発明の別の実施形態を示す真壁へ手すりを設置する構造を示した斜視図である。図３において、１０１Ｂは手すり補強板を、１０３は真壁の柱を示し、４Ｂは手すり補強板１０１Ｂの端面を示す。図３では本構造の片側のみしか図示していないが、手すり補強板１０１Ｂの両端には、手すり補強板１０１Ｂを木ねじ２により柱１０３に固定する為に、手すり補強板１０１Ｂの表面より柱１０３に向かってθｃの角度で下穴５Ｅを開ける。下穴５Ｅはθｃの角度で手すり補強板１０１Ｂの表面より開けている為、手すり補強板１０１Ｂの表面に開いている穴９は、手すり補強板１０１Ｂの長手方向を長半径とする略楕円形状となる。１Ｃは、図１及び図２に示すカバー１Ｂと同様の構造をしている手すり補強板１０１Ｂの端面４Ｂを隠す為のカバーを示す。カバー１Ｃと、手すり補強板１０１Ｂの表面と接触する面の長さＧは、下穴５Ｅの長半径側の端面４Ｂから遠い側の頂点までの寸法Ｅよりも長い為、端面４Ｂを隠すのみならず下穴５Ｅも同時に隠すことが出来、下穴５Ｅの切削端面で使用者が怪我をすること無く、また同時に意匠性を向上させることが可能となる。
【発明の効果】
本発明は、上記構成により次の効果を発揮する。
請求項１では、真壁に手すりを取り付ける際に使用する補強板を、露出している柱間と壁面に密接した状態でねじで取り付ける場合において、前記補強板の端面に、前記端面よりも小さな大きさのスペーサを貼り付け、前記スペーサによって生じた前記柱との隙間を利用して、前記端面を覆い隠すカバーを装着する構造とした。これにより、ねじのねじ込み力で補強板の端面全てが柱に密着することを防ぎ、スペーサによって生じた隙間を利用し、補強板の端面を確実に隠すことが可能となる。
請求項２では、請求項１の手すり補強板の構造において、前記スペーサにねじを逃す為の切欠きを設けた構造とした。これにより、補強板の端面にねじが露出するような角度でねじをねじ込まれた場合でも、スペーサに設けた切欠きにより露出したねじを逃すことで、スペーサを確実に固定することが可能となる。
請求項３では、請求項１または請求項２の手すり補強板の構造において、前記手すり補強板の端面と共に、前記手すり補強板の表面に出ているねじの頭を、前記カバーで隠す構造としたことを特徴とした。これにより、補強板の表面にねじの頭やねじの下穴が見える場合であっても、カバーを装着することにより、補強板の端面のみならず固定しているねじの頭や下穴も隠すことが可能となる。
【図面の簡単な説明】
【図１】本件発明の一実施形態である真壁へ手すりを設置する構造を示した断面図である。
【図２】本件発明における他の実施形態である真壁へ手すりを設置する構造を示した斜視図である。
【図３】本件発明における他の実施形態である真壁へ手すりを設置する構造を示した斜視図である。
【図４】従来の真壁へ手すりを設置する構造を示した斜視図である。
【図５】従来の真壁へ手すりを設置する構造を示した斜視図である。
【符号の説明】
１、１Ｂ：化粧カバー
２：木ねじ
３、３Ａ：化粧シール
４、４Ｂ、４Ｂ’、４Ｃ：端面
５、５Ａ、５Ｂ、５Ｃ、５Ｄ、５Ｅ：下穴
６Ａ：下穴
７、７Ｂ：スペーサ
８：切欠き
９、９Ａ：穴
１００：手すり
１０１、１０１Ａ、１０１Ｂ：手すり補強板
１０２：壁面
１０３：柱
１０４：見え係り
１０５、１０５’：散り
１０６：間柱
Ａ：スペーサの厚さ
Ｃ：柱の間隔から手すり補強板寸法Ｙａとスペーサの厚さを引いた隙間
Ｅ：下穴５Ｅの長半径側の端面４Ｂから遠い側の頂点までの寸法
Ｆ：力
Ｆｘ：分力
Ｆｙ：分力
Ｇ：手すり補強板の表面と接触するカバーの面の手すり補強板長手方向の長さ
Ｐ：壁面と柱の見え掛りの散りの断差
Ｑ：手すり補強板の厚さ
Ｒ：奥行き
Ｓ：手すり補強板の厚さから壁面と柱の見え掛りの散りの断差を引いた寸法
Ｘ：柱の間隔
Ｙ、Ｙａ：手すり補強板の長さ
θａ、θｂ、θｃ：角度
【図１】
2004293054.tif 000003
【図２】
2004293054.tif 000004
【図３】
2004293054.tif 000005
【図４】
2004293054.tif 000006
【図５】
2004293054.tif 000007